(57)【特許請求の範囲】
【請求項１】
無線端末がＲＲＣ接続状態においてネットワークとの接続障害の発生を検出した場合において、前記検出された接続障害に関する無線リンク障害レポートをＭＤＴ測定データとは別に前記無線端末が記録し、前記無線端末が前記ネットワークとのＲＲＣ接続の確立に失敗した場合において、接続確立失敗に関する接続確立失敗情報をＭＤＴ測定データとは別に記録するステップＡと、
前記無線端末が前記ネットワークとのＲＲＣ接続を確立する際に、前記無線リンク障害レポートを保持していれば、前記無線リンク障害レポートを送信可能であることを示す通知を前記無線端末から前記ネットワークに送信するステップＢと、
前記通知に対して前記ネットワークから送信される、前記無線リンク障害レポートの送信要求を前記無線端末が受信した場合に、前記接続障害が発生した時刻を特定するための第１の時間情報を含んだ前記無線リンク障害レポートを前記無線端末から前記ネットワークに送信するステップＣと、を有し、
前記無線リンク障害レポートは、前記検出された接続障害の種別がＲＬＦであるかハンドオーバ障害であるかの接続障害種別を含み、
前記無線端末は、前記接続確立失敗の時刻を特定するための第２の時間情報を含んだ前記接続確立失敗情報も前記ネットワークに送信可能に構成されていることを特徴とする移動通信方法。
【請求項２】
制御部を有する無線端末であって、
前記制御部は、前記無線端末がＲＲＣ接続状態においてネットワークとの接続障害の発生を検出した場合において、前記検出された接続障害に関する無線リンク障害レポートをＭＤＴ測定データとは別に記録し、前記無線端末が前記ネットワークとのＲＲＣ接続の確立に失敗した場合において、接続確立失敗に関する接続確立失敗情報をＭＤＴ測定データとは別に記録し、
前記制御部は、前記無線端末が前記ネットワークとのＲＲＣ接続を確立する際に、前記無線リンク障害レポートを保持していれば、前記無線リンク障害レポートを送信可能であることを示す通知を前記ネットワークに送信し、
前記制御部は、前記通知に対して前記ネットワークから送信される、前記無線リンク障害レポートの送信要求を前記無線端末が受信した場合に、前記接続障害が発生した時刻を特定するための第１の時間情報を含んだ前記無線リンク障害レポートを前記ネットワークに送信し、
前記無線リンク障害レポートは、前記検出された接続障害の種別がＲＬＦであるかハンドオーバ障害であるかの接続障害種別を含み、
前記制御部は、前記接続確立失敗の時刻を特定するための第２の時間情報を含んだ前記接続確立失敗情報も前記ネットワークに送信可能に構成されていることを特徴とする無線端末。
【請求項３】
無線端末に備えられるプロセッサであって、
前記無線端末がネットワークとの接続障害の発生を検出した場合において、前記検出された接続障害に関する無線リンク障害レポートをＭＤＴ測定データとは別に記録し、前記無線端末が前記ネットワークとのＲＲＣ接続の確立に失敗した場合において、ＲＲＣ接続の確立失敗に関する接続確立失敗情報をＭＤＴ測定データとは別に記録するステップＡと、
前記無線端末が前記ネットワークとのＲＲＣ接続を確立する際に、前記無線リンク障害レポートを保持していれば、前記無線リンク障害レポートを送信可能であることを示す通知を前記ネットワークに送信するステップＢと、
前記通知に対して前記ネットワークから送信される、前記無線リンク障害レポートの送信要求を前記無線端末が受信した場合に、前記接続障害が発生した時刻を特定するための第１の時間情報を含んだ前記無線リンク障害レポートを前記ネットワークに送信するステップＣと、を実行し、
前記無線リンク障害レポートは、前記検出された接続障害の種別がＲＬＦであるかハンドオーバ障害であるかの接続障害種別を含み、
前記接続確立失敗の時刻を特定するための第２の時間情報を含んだ前記接続確立失敗情報も前記ネットワークに送信可能に構成されていることを特徴とするプロセッサ。
【発明の詳細な説明】
【技術分野】
【０００１】
本発明は、無線リンク障害（ＲＬＦ）レポートを取り扱う移動通信方法、無線端末、及び基地局に関する。
【背景技術】
【０００２】
移動通信システムでは、基地局の周辺にビルが建設されたり、当該基地局の周辺基地局の設置状況が変化したりすると、当該基地局に係る無線通信環境が変化する。このため、従来では、オペレータにより、測定機材を搭載した測定用車両を使用し、ネットワーク（基地局）からの受信信号状態を測定して測定データを収集するドライブテストが行われている。
【０００３】
このような測定及び収集は、例えば基地局のカバレッジの最適化に貢献できるが、工数が多く、且つ費用が高いという課題がある。そこで、移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ユーザが所持する無線端末を使用して、当該測定及び収集を自動化するためのＭＤＴ（Ｍｉｎｉｍｉｚａｔｉｏｎ  ｏｆ  Ｄｒｉｖｅ  Ｔｅｓｔ）の仕様策定が進められている。
【０００４】
ＭＤＴの一種として、即座報告型のＭＤＴ（「Ｉｍｍｅｄｉａｔｅ  ＭＤＴ」と称される）がある。Ｉｍｍｅｄｉａｔｅ  ＭＤＴは、接続状態の無線端末が、受信信号状態の測定を行い、測定結果及び測定時の位置情報をネットワークに報告するものである。接続状態とは、無線端末が通信実行中の状態である。
【０００５】
また、３ＧＰＰ規格では、接続状態の無線端末がネットワークとの接続障害を検出したことに応じて、当該接続障害に関する無線リンク障害（ＲＬＦ）レポートを、無線端末からネットワークに送信するよう規定されている（３ＧＰＰ  ＴＳ  ３６．３００  ｖ１０．４．０参照）。接続障害とは、ＲＬＦ又はハンドオーバ障害である。さらに、Ｉｍｍｅｄｉａｔｅ  ＭＤＴにおいて、ＲＬＦレポートを拡張し、接続障害が発生した位置を特定するための位置情報をＲＬＦレポートに含めるよう規定されている（３ＧＰＰ  ＴＳ  ３７．３２０  ｖ１０．１．０参照）。
【０００６】
ネットワークは、無線端末から受信するＩｍｍｅｄｉａｔｅ  ＭＤＴのレポートやＲＬＦレポートに基づいて、カバレッジ最適化のためのパラメータ調整（設定変更）を行う。
【発明の概要】
【０００７】
ところで、無線端末は、接続障害の発生を検出した後、当該接続障害に関するＲＬＦレポートを直ちにネットワークに送信できるとは限らない。
【０００８】
例えば、無線端末が、接続障害によって接続状態からアイドル状態に移行した後、ネットワークに改めて接続した際にＲＬＦレポートを送信するケースがある。
【０００９】
また、あるＲＡＴ（Ｒａｄｉｏ  Ａｃｃｅｓｓ  Ｔｅｃｈｎｏｌｏｇｙ）で無線端末が検出した接続障害に関するＲＬＦレポートは、当該ＲＡＴに対して送信する必要があるため、当該接続障害の直後に無線端末が他のＲＡＴに接続し、その後当該ＲＡＴに改めて接続した際にＲＬＦレポートを送信するケースがある。
【００１０】
これらのケースでは、接続障害が発生してからＲＬＦレポートを送信するまでに長時間が経過していることがあり得る。このため、ネットワークが、カバレッジ最適化のためのパラメータ調整を行った後に、当該パラメータ調整を行う前の時点での接続障害に関するＲＬＦレポートを受信してしまうことがあり、誤ったパラメータ調整を誘発する虞があった。
【００１１】
そこで、本発明は、ネットワークが誤ったパラメータ調整を行ってしまうことを防止できる移動通信方法、無線端末、及び基地局を提供する。
【００１２】
上述した課題を解決するために、本発明は以下のような特徴を有している。
【００１３】
本発明に係る移動通信方法の特徴によれば、無線端末（例えばＵＥ２００）がネットワーク（例えばＥ−ＵＴＲＡＮ１０）に接続して通信を行う移動通信方法であって、前記無線端末が、接続状態において、前記ネットワークとの接続障害の発生を検出するステップと、前記検出された接続障害に関する無線リンク障害（ＲＬＦ）レポートを、前記無線端末から前記ネットワークに送信するステップと、を有し、前記ＲＬＦレポートを送信するステップにおいて、前記無線端末は、前記接続障害が発生した時刻を特定するための時間情報を前記ＲＬＦレポートに含めて前記ネットワークに送信する。
【００１４】
本発明に係る移動通信方法の他の特徴によれば、前記無線端末が、前記接続障害の発生によってアイドル状態に移行した後、前記ネットワークに改めて接続することによって接続状態に復帰するステップをさらに有し、前記ＲＬＦレポートを送信するステップにおいて、前記無線端末は、前記復帰するステップで接続状態に復帰した後、前記時間情報を前記ＲＬＦレポートに含めて前記ネットワークに送信する。
【００１５】
本発明に係る移動通信方法の他の特徴によれば、前記ＲＬＦレポートを送信するステップにおいて、前記無線端末は、前記時間情報と、前記接続障害が発生した位置を特定するための位置情報とを前記ＲＬＦレポートに含めて前記ネットワークに送信する。
【００１６】
本発明に係る移動通信方法の他の特徴によれば、前記ネットワークが、接続状態の前記無線端末に対してＩｍｍｅｄｉａｔｅ  ＭＤＴを設定するステップをさらに有し、前記設定するステップは、ネットワーク時刻を示す絶対時間情報を前記ネットワークから前記無線端末に送信するステップを含む。
【００１７】
本発明に係る移動通信方法の他の特徴によれば、前記ＲＬＦレポートに含められる前記時間情報は、前記ネットワークから受信した前記絶対時間情報と、前記ネットワーク時刻に対する前記接続障害が発生した時刻の相対時間を示す相対時間情報と、を含む。
【００１８】
本発明に係る移動通信方法の他の特徴によれば、前記ネットワークが、ネットワーク時刻を示す絶対時間情報をブロードキャストするステップと、前記無線端末が、前記ネットワークからブロードキャストされる前記絶対時間情報を受信するステップと、をさらに有する。
【００１９】
本発明に係る移動通信方法の他の特徴によれば、前記ＲＬＦレポートに含められる前記時間情報は、前記ネットワークから受信した前記絶対時間情報と、前記ネットワーク時刻に対する前記接続障害が発生した時刻の相対時間を示す相対時間情報と、を含む。
【００２０】
本発明に係る移動通信方法の他の特徴によれば、前記ＲＬＦレポートに含められる前記時間情報は、相対時間情報を含むことなく、前記ネットワークから受信した前記絶対時間情報のみに基づく。
【００２１】
本発明に係る無線端末の特徴によれば、ネットワークに接続して通信を行う無線端末であって、接続状態において、前記ネットワークとの接続障害の発生を検出する検出部（例えば接続障害処理部２６２）と、前記検出された接続障害に関する無線リンク障害（ＲＬＦ）レポートを前記ネットワークに送信する送信部（例えば、接続障害処理部２６２、無線通信部２１０）と、を有し、前記送信部は、前記接続障害が発生した時刻を特定するための時間情報を前記ＲＬＦレポートに含めて前記ネットワークに送信する。
【００２２】
本発明に係る無線端末の他の特徴によれば、上述した特徴において、記憶部（記憶部２５０）をさらに有し、前記記憶部は、前記検出された接続障害に関する情報であって前記ＲＬＦレポートに含めるべきＲＬＦ情報を、他の情報とは個別に記憶する。
【００２３】
本発明に係る基地局の特徴によれば、接続状態の無線端末に対してＩｍｍｅｄｉａｔｅ  ＭＤＴを設定する基地局（例えばｅＮＢ１００）であって、前記Ｉｍｍｅｄｉａｔｅ  ＭＤＴを設定する際に、ネットワーク時刻を示す絶対時間情報を前記無線端末に送信する送信部（例えば、Ｃｏｎｆｉｇｕｒａｔｉｏｎ情報生成部１４１、無線通信部１１０）を有する。
【００２４】
本発明に係る基地局の他の特徴によれば、ネットワーク時刻を示す絶対時間情報をブロードキャストするブロードキャスト送信部（無線通信部１１０）を有する。
【図面の簡単な説明】
【００２５】
【図１】第１実施形態及び第２実施形態に係る移動通信システムの全体構成図である。
【図２】第１実施形態及び第２実施形態に係るｅＮＢ（基地局）のブロック図である。
【図３】第１実施形態及び第２実施形態に係るＵＥ（無線端末）のブロック図である。
【図４】第１実施形態に係るＵＥの動作フロー図である。
【図５】第２実施形態に係るＵＥの動作フロー図である。
【発明を実施するための形態】
【００２６】
図面を参照して、本発明の第１実施形態、第２実施形態、及びその他の実施形態を説明する。以下の各実施形態に係る図面において、同一又は類似の部分には同一又は類似の符号を付す。
【００２７】
［第１実施形態］
（移動通信システムの概要）
図１は、本実施形態に係る移動通信システム１の全体構成図である。本実施形態に係る移動通信システム１は、３ＧＰＰで仕様が策定されているＬＴＥ（Ｌｏｎｇ  Ｔｅｒｍ  Ｅｖｏｌｕｔｉｏｎ）又はＬＴＥ−Ａｄｖａｎｃｅｄに基づいて構成されており、上述したＩｍｍｅｄｉａｔｅ  ＭＤＴをサポートする。
【００２８】
図１に示すように、移動通信システム１は、ｅＮＢ（ｅｖｏｌｖｅｄ  Ｎｏｄｅ−Ｂ）１００、ＵＥ（Ｕｓｅｒ  Ｅｑｕｉｐｍｅｎｔ）２００、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ Ｇａｔｅｗａｙ）３１０、及びＯＡＭ（Ｏｐｅｒａｔｉｏｎ  ａｎｄ  Ｍａｉｎｔｅｎａｎｃｅ）３２０を有する。本実施形態において、ｅＮＢ１００は基地局に相当し、ＵＥ２００は無線端末に相当する。
【００２９】
複数のｅＮＢ１００は、ＬＴＥの無線アクセスネットワークであるＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０を構成する。本実施形態において、Ｅ−ＵＴＲＡＮ１０は、ＵＥ２００が接続するネットワークに相当する。
【００３０】
各ｅＮＢ１００は、オペレータによって設置される固定型の無線通信装置であり、ＵＥ２００との無線通信を行うように構成される。各ｅＮＢ１００は、隣接する他のｅＮＢ１００との通信をＸ２インターフェイス上で行い、ＭＭＥ／Ｓ−ＧＷ３１０との通信をＳ１インターフェイス上で行う。各ｅＮＢ１００は、無線通信エリアの最小単位であるセルを１つ又は複数形成する。各ｅＮＢ１００は、セルを識別可能な参照信号を常時ブロードキャストしている。
【００３１】
ＵＥ２００は、ユーザが所持する可搬型の無線通信装置である。ＵＥ２００は、Ｅ−ＵＴＲＡＮ１０に含まれるｅＮＢ１００に接続し、該ｅＮＢ１００を介して通信先との通信を実行可能に構成される。ＵＥ２００が通信先と通信実行中の状態は接続状態と称され、ＵＥ２００が待ち受け中の状態はアイドル状態と称される。ＵＥ２００は、移動に伴って、在圏するセルを切り替える。ＵＥ２００が接続状態時のセル切り替えはハンドオーバと称され、ＵＥ２００がアイドル状態時のセル切り替えはセルリセレクションと称される。
【００３２】
ＭＭＥは、ＵＥ２００に対する各種モビリティ管理を行うように構成される。Ｓ−ＧＷは、ＵＥ２００が送受信するユーザデータの転送制御を行うように構成される。複数のＭＭＥ／Ｓ−ＧＷ３１０は、ＬＴＥのコアネットワークであるＥＰＣ（Ｅｖｏｌｖｅｄ  Ｐａｃｋｅｔ  Ｃｏｒｅ）３００を構成する。ＯＡＭ３２０は、オペレータによって設置されるサーバ装置であり、Ｅ−ＵＴＲＡＮ１０の保守及び監視を行うように構成される。
【００３３】
次に、Ｉｍｍｅｄｉａｔｅ  ＭＤＴの概要を説明する。
【００３４】
ｅＮＢ１００は、必要に応じて、Ｉｍｍｅｄｉａｔｅ  ＭＤＴを行うためのＭｅａｓｕｒｅｍｅｎｔ  Ｃｏｎｆｉｇｕｒａｔｉｏｎ情報を、自局に接続する（接続状態の）ＵＥ２００に送信する。Ｉｍｍｅｄｉａｔｅ  ＭＤＴのコンフィグレーションは、実際には、ＳＯＮ−ＭＲＯの一部であり、その要求メッセージはＵＥ  Ｉｎｆｏｒｍａｔｉｏｎ  Ｒｅｑｕｅｓｔメッセージに組み込まれている。ＵＥ  Ｉｎｆｏｒｍａｔｉｏｎ  Ｒｅｓｐｏｎｓｅメッセージにおいて、ＲｅｐｏｒｔＣｏｎｆｉｇＥＵＴＲＡ  ＩＥ内に位置情報を含めることができる。
【００３５】
Ｍｅａｓｕｒｅｍｅｎｔ  Ｃｏｎｆｉｇｕｒａｔｉｏｎ情報を受信したＵＥ２００は、接続状態において、接続先のｅＮＢ１００及びその隣接基地局からの受信信号状態を測定するとともに測定結果を含む測定データを当該接続先のｅＮＢ１００に送信する。
【００３６】
なお、受信信号状態とは、例えば参照信号受信電力（ＲＳＲＰ）や参照信号受信品質（ＲＳＲＱ）である。測定データは、受信信号状態の測定結果に加え、測定時の位置情報を含む。位置情報とは、ＵＥ２００がＧＰＳ機能を有している場合にはＧＰＳ位置情報であり、ＵＥ２００がＧＰＳ機能を有していない場合にはＲＦフィンガープリント情報である。
【００３７】
ＵＥ２００からの測定データを受信したｅＮＢ１００は、受信した測定データに対して時間情報を付与し、当該時間情報が付与された測定データをＯＡＭ３２０に転送する。ＯＡＭ３２０は、このようにして得られた測定データに基づいてカバレッジ問題を発見すると、発見したカバレッジ問題を、オペレータに通知する、もしくは解消するためのネットワーク最適化を行う。
【００３８】
次に、ＲＬＦレポートの概要を説明する。
【００３９】
ＵＥ２００は、接続状態（ＲＲＣ  ｃｏｎｎｅｃｔｅｄ  ｓｔａｔｅ）において、Ｅ−ＵＴＲＡＮ１０に含まれるｅＮＢ１００との接続障害を検出すると、Ｅ−ＵＴＲＡＮ１０との再接続（ＲＲＣ  ｃｏｎｎｅｃｔｉｏｎ  ｒｅ−ｅｓｔａｂｌｉｓｈｍｅｎｔ）を試みる。
【００４０】
ＵＥ２００は、接続状態を維持しながらＥ−ＵＴＲＡＮ１０との再接続（ＲＲＣ  ｃｏｎｎｅｃｔｉｏｎ  ｒｅ−ｅｓｔａｂｌｉｓｈｍｅｎｔ）に成功すると、当該接続障害に関するＲＬＦレポートを接続先のｅＮＢ１００に送信する。
【００４１】
これに対し、ＵＥ２００は、Ｅ−ＵＴＲＡＮ１０との再接続（ＲＲＣ  ｃｏｎｎｅｃｔｉｏｎ  ｒｅ−ｅｓｔａｂｌｉｓｈｍｅｎｔ）に失敗すると、アイドル状態に移行し、２回の接続障害に関する情報を記録する。一方はｅＮＢ１００に係属している際の接続障害であり、他方は再接続の際の接続障害である。そして、ＵＥ２００は、Ｅ−ＵＴＲＡＮ１０と接続（ｆｒｅｓｈ  ＲＲＣ  ｃｏｎｎｅｃｔｉｏｎ  ｅｓｔａｂｌｉｓｈｍｅｎｔ）する際、ＲＬＦレポートを送信可能である旨の通知（Ｉｎｄｉｃａｔｉｏｎ）を接続先のｅＮＢ１００に送信する。ＵＥ２００は、接続状態において、接続先のｅＮＢ１００からの要求（ＵＥ  Ｉｎｆｏｒｍａｔｉｏｎ  Ｒｅｑｕｅｓｔ）に応じて、ＲＬＦレポートを含む応答（ＵＥ  Ｉｎｆｏｒｍａｔｉｏｎ  Ｒｅｓｐｏｎｓｅ）を当該接続先のｅＮＢ１００に送信する。
【００４２】
本実施形態では、Ｉｍｍｅｄｉａｔｅ  ＭＤＴをコンフィグレーションされたＵＥ２００は、接続障害の発生によってアイドル状態に移行した後、接続状態に復帰した場合には、当該接続障害が発生した時刻を特定するための時間情報をＲＬＦレポートに含めて送信する。当該時間情報の詳細については後述する。
【００４３】
（ｅＮＢ１００の構成）
次に、ｅＮＢ１００の構成を説明する。図２は、ｅＮＢ１００のブロック図である。
【００４４】
図２に示すように、ｅＮＢ１００は、アンテナ１０１、無線通信部１１０、ネットワーク通信部１２０、記憶部１３０、及び制御部１４０を有する。
【００４５】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して無線信号を送受信する。ネットワーク通信部１２０は、他のネットワーク装置（ＭＭＥ／Ｓ−ＧＷ３１０、ＯＡＭ３２０や他のｅＮＢ１００等）との通信を行う。記憶部１３０は、例えばメモリを用いて構成され、ｅＮＢ１００の制御等に用いられる各種の情報を記憶する。制御部１４０は、例えばプロセッサを用いて構成され、ｅＮＢ１００が備える各種の機能を制御する。
【００４６】
制御部１４０は、Ｍｅａｓｕｒｅｍｅｎｔ  Ｃｏｎｆｉｇｕｒａｔｉｏｎ情報を生成するＣｏｎｆｉｇｕｒａｔｉｏｎ情報生成部１４１と、ＵＥ２００から送信されるレポートに係る処理を行うレポート処理部１４２と、を有する。
【００４７】
Ｃｏｎｆｉｇｕｒａｔｉｏｎ情報生成部１４１は、ＵＥ２００をＩｍｍｅｄｉａｔｅ  ＭＤＴに使用すると決定すると、Ｍｅａｓｕｒｅｍｅｎｔ  Ｃｏｎｆｉｇｕｒａｔｉｏｎ情報を生成し、当該Ｍｅａｓｕｒｅｍｅｎｔ  Ｃｏｎｆｉｇｕｒａｔｉｏｎ情報を、接続状態の当該ＵＥ２００に送信するよう無線通信部１１０を制御する。
【００４８】
Ｍｅａｓｕｒｅｍｅｎｔ  Ｃｏｎｆｉｇｕｒａｔｉｏｎ情報は、各種の測定パラメータを含む。測定パラメータは、測定対象及びレポートトリガを含む。測定対象は、例えばＲＳＲＰやＲＳＲＱである。また、パワーヘッドルーム（ＰＨＲ）を測定対象とすることもできる。レポートトリガは、例えば、Ｐｅｒｉｏｄｉｃ、又は、サービングセルのＲＳＲＰが閾値を下回ったことである。本実施形態では、Ｍｅａｓｕｒｅｍｅｎｔ  Ｃｏｎｆｉｇｕｒａｔｉｏｎ情報は、ネットワーク時刻を示す絶対時間情報を含む。詳細には、絶対時間情報は、ＵＥ２００にＩｍｍｅｄｉａｔｅ  ＭＤＴを設定する際の現在ネットワーク時刻をＹＹ−ＭＭ−ＤＤ  ＨＨ：ＭＭ：ＳＳの形式で示すものである。
【００４９】
レポート処理部１４２は、Ｉｍｍｅｄｉａｔｅ  ＭＤＴによる測定データを含むＭｅａｓｕｒｅｍｅｎｔレポートをＵＥ２００から無線通信部１１０が受信した場合に、当該Ｍｅａｓｕｒｅｍｅｎｔレポートを取得する。当該測定データは、ＲＳＲＰ、ＲＳＲＱ、又はＰＨの測定結果と、当該測定を行った際の位置情報とを含む。レポート処理部１４２は、Ｍｅａｓｕｒｅｍｅｎｔレポートに含まれる測定データに対して時間情報を付与し、当該時間情報が付与された測定データをＯＡＭ３２０に転送するようネットワーク通信部１２０を制御する。詳細には、当該時間情報は、Ｉｍｍｅｄｉａｔｅ  ＭＤＴに係るＭｅａｓｕｒｅｍｅｎｔレポートを取得した際の現在ネットワーク時刻をＹＹ−ＭＭ−ＤＤ  ＨＨ：ＭＭ：ＳＳの形式で示すものである。ただし、レポート処理部１４２は、測定データをＯＡＭ３２０に転送するケースに限らず、当該測定データの内容を解釈し、ｅＮＢ１００自身のパラメータ調整に使用してもよい。
【００５０】
レポート処理部１４２は、ＲＬＦレポートを送信可能である旨の通知（Ｉｎｄｉｃａｔｉｏｎ）をＵＥ２００から無線通信部１１０が受信した場合で、ＯＡＭ３２０からの指示により、又は、ｅＮＢ１００自身の判断により、当該ＲＬＦレポートを取得すると決定した場合に、当該ＲＬＦレポートを取得するためのＵＥ  Ｉｎｆｏｒｍａｔｉｏｎ  Ｒｅｑｕｅｓｔメッセージを生成し、当該ＵＥ  Ｉｎｆｏｒｍａｔｉｏｎ  Ｒｅｑｕｅｓｔメッセージを当該ＵＥ２００に送信するよう無線通信部１１０を制御する。
【００５１】
そして、レポート処理部１４２は、ＵＥ  Ｉｎｆｏｒｍａｔｉｏｎ  Ｒｅｑｕｅｓｔメッセージに応じてＵＥ２００から送信される、ＲＬＦレポートを含むＵＥ  Ｉｎｆｏｒｍａｔｉｏｎ  Ｒｅｓｐｏｎｓｅメッセージを無線通信部１１０が受信すると、受信したＵＥ  Ｉｎｆｏｒｍａｔｉｏｎ  Ｒｅｓｐｏｎｓｅメッセージに含まれるＲＬＦレポートを取得する。レポート処理部１４２は、当該ＲＬＦレポートが時間情報を含まない場合には、当該ＲＬＦレポートに対して時間情報を付与し、当該時間情報が付与されたＲＬＦレポートをＯＡＭ３２０又は他のｅＮＢ１００に転送するようネットワーク通信部１２０を制御する。レポート処理部１４２は、当該ＲＬＦレポートが時間情報を含む場合には、当該ＲＬＦレポートをＯＡＭ３２０又は他のｅＮＢ１００に転送するようネットワーク通信部１２０を制御する。なお、レポート処理部１４２は、ＲＬＦレポートをＯＡＭ３２０又は他のｅＮＢ１００に転送するケースに限らず、当該測定データの内容を解釈し、ｅＮＢ１００自身のパラメータ調整に使用してもよい。
【００５２】
（ＵＥ２００の構成）
次に、ＵＥ２００の構成を説明する。図３は、ＵＥ２００のブロック図である。
【００５３】
図３に示すように、ＵＥ２００は、アンテナ２０１、無線通信部２１０、ユーザインターフェイス部２２０、ＧＰＳ受信機２３０、バッテリ２４０、記憶部２５０、及び制御部２６０を有する。ただし、ＵＥ２００は、ＧＰＳ受信機２３０を有していなくてもよい。
【００５４】
アンテナ２０１は、無線信号の送受信に用いられる。無線通信部２１０は、例えば無線周波数（ＲＦ）回路やベースバンド（ＢＢ）回路等を用いて構成され、アンテナ２０１を介して無線信号を送受信する。ユーザインターフェイス部２２０は、ユーザとのインターフェイスとして機能するディスプレイやボタン等である。ＧＰＳ受信機２３０は、ＵＥ２００の地理的な位置を示す位置情報を生成する。バッテリ２４０は、充電可能なバッテリであって、ＵＥ２００の各ブロックに供給される電力を蓄える。
【００５５】
記憶部２５０は、例えばメモリを用いて構成され、ＵＥ２００の制御等に用いられる各種の情報を記憶する。記憶部２５０は、検出された接続障害に関する情報であってＲＬＦレポートに含めるべきＲＬＦ情報を、他の情報とは個別に記憶するように構成されている。他の情報とは、例えば、通常のＩｍｍｅｄｉａｔｅ  ＭＤＴで得られる測定データ等を意味する。Ｉｍｍｅｄｉａｔｅ  ＭＤＴで得られる測定データは、即座に報告されるものであるため、一時的な記憶（バッファリング）を行えばよい。これに対し、ＲＬＦ情報は、即座に報告されるとは限らないため、特別な個別の記憶領域に記憶する。
【００５６】
制御部２６０は、例えばプロセッサを用いて構成され、ＵＥ２００が備える各種の機能を制御する。
【００５７】
制御部２６０は、Ｉｍｍｅｄｉａｔｅ  ＭＤＴに係る処理を行うＩｍｍｅｄｉａｔｅ  ＭＤＴ処理部２６１と、接続障害に係る処理を行う接続障害処理部２６２と、接続障害に係る相対時間を計時するための相対時間タイマ２６３と、を有する。ここで、相対時間とは、ネットワーク時刻に対する接続障害発生時刻の相対時間である。
【００５８】
Ｉｍｍｅｄｉａｔｅ  ＭＤＴ処理部２６１は、接続状態において、Ｉｍｍｅｄｉａｔｅ  ＭＤＴに係るＭｅａｓｕｒｅｍｅｎｔ  Ｃｏｎｆｉｇｕｒａｔｉｏｎ情報をｅＮＢ１００から無線通信部２１０が受信すると、受信したＭｅａｓｕｒｅｍｅｎｔ  Ｃｏｎｆｉｇｕｒａｔｉｏｎ情報に含まれる測定パラメータを設定（すなわち、記憶部２５０に記憶）する。Ｉｍｍｅｄｉａｔｅ  ＭＤＴ処理部２６１は、接続状態において、記憶部２５０に記憶された測定パラメータに従って測定処理を行う。詳細には、測定パラメータのうちの測定対象で指定された対象の測定及び位置情報の取得を行う。また、測定パラメータのうちのレポートトリガで指定されたトリガで、測定データ（測定結果及び位置情報）を含むＭｅａｓｕｒｅｍｅｎｔレポートをｅＮＢ１００に送信するよう無線通信部２１０を制御する。
【００５９】
本実施形態では、Ｉｍｍｅｄｉａｔｅ  ＭＤＴに係るＭｅａｓｕｒｅｍｅｎｔ  Ｃｏｎｆｉｇｕｒａｔｉｏｎ情報は、ネットワーク時刻を示す絶対時間情報を含む。Ｉｍｍｅｄｉａｔｅ  ＭＤＴ処理部２６１は、Ｉｍｍｅｄｉａｔｅ  ＭＤＴに係るＭｅａｓｕｒｅｍｅｎｔ  Ｃｏｎｆｉｇｕｒａｔｉｏｎ情報をｅＮＢ１００から無線通信部２１０が受信すると、当該Ｍｅａｓｕｒｅｍｅｎｔ  Ｃｏｎｆｉｇｕｒａｔｉｏｎ情報に含まれる絶対時間情報を記憶部２５０に記憶するとともに、相対時間タイマ２６３を起動する。相対時間タイマ２６３は、起動した後、例えば１秒単位で計時を行う。
【００６０】
接続障害処理部２６２は、接続状態において、接続障害を検出する。例えば、接続障害処理部２６２は、接続状態において、Ｒａｄｉｏ  Ｐｒｏｂｌｅｍを検出し、且つ、当該Ｒａｄｉｏ  Ｐｒｏｂｌｅｍを検出してから所定時間（Ｔ１）内に回復しない場合に、ＲＬＦが発生したと判断する。接続障害処理部２６２は、接続障害を検出すると、相対時間タイマ２６３が計時した相対時間を取得する。さらに、接続障害処理部２６２は、接続障害を検出してから所定時間（Ｔ２）内に再接続（ＲＲＣ  ｃｏｎｎｅｃｔｉｏｎ  ｒｅ−ｅｓｔａｂｌｉｓｈｍｅｎｔ）を試みる。
【００６１】
接続障害処理部２６２は、接続障害を検出してから所定時間（Ｔ２）内に再接続（ＲＲＣ  ｃｏｎｎｅｃｔｉｏｎ  ｒｅ−ｅｓｔａｂｌｉｓｈｍｅｎｔ）に成功した場合には、現行仕様に従って、ＲＬＦレポートを再接続先のｅＮＢ１００（セル）に送信するよう無線通信部２１０を制御する。Ｉｍｍｅｄｉａｔｅ  ＭＤＴがコンフィグレーションされている場合、接続障害処理部２６２は、接続障害が検出された位置を示す位置情報をＲＬＦレポートに含めて送信するよう制御する。
【００６２】
これに対し、接続障害を検出してから所定時間（Ｔ２）内に再接続（ＲＲＣ  ｃｏｎｎｅｃｔｉｏｎ  ｒｅ−ｅｓｔａｂｌｉｓｈｍｅｎｔ）に失敗した場合には、ＵＥ２００はアイドル状態に移行する。この場合、接続障害処理部２６２は、各接続障害について、接続障害に関する情報（以下、「ＲＬＦ情報」と称する）と、接続障害を検出した位置を示す位置情報と、相対時間タイマ２６３が計時した相対時間を示す相対時間情報と、を記憶部２５０に記憶する。各ＲＬＦ情報は、接続障害に係るセルのＩＤ（Ｅ−ＣＧＩ）と、再接続（ＲＲＣ  ｃｏｎｎｅｃｔｉｏｎ  ｒｅ−ｅｓｔａｂｌｉｓｈｍｅｎｔ）が試みられたセルのＩＤ（Ｅ−ＣＧＩ）と、接続障害の種別（ＲＬＦ又はハンドオーバ障害）の情報と、無線測定情報と、を含む。
【００６３】
接続障害処理部２６２は、接続障害によってアイドル状態に移行した後、Ｅ−ＵＴＲＡＮ１０に含まれるｅＮＢ１００と接続（ｆｒｅｓｈ  ＲＲＣ  ｃｏｎｎｅｃｔｉｏｎ  ｅｓｔａｂｌｉｓｈｍｅｎｔ）する際、ＲＬＦレポートを送信可能である旨の通知（Ｉｎｄｉｃａｔｉｏｎ）を接続先のｅＮＢ１００に送信するよう無線通信部２１０を制御する。接続障害処理部２６２は、当該Ｉｎｄｉｃａｔｉｏｎに応じてｅＮＢ１００から送信されたＵＥ  Ｉｎｆｏｒｍａｔｉｏｎ  Ｒｅｑｕｅｓｔメッセージを無線通信部２１０が受信すると、各接続障害について、記憶部２５０に記憶されているＲＬＦ情報、位置情報、絶対時間情報、及び相対時間情報を取得し、各ＲＬＦ情報、位置情報、絶対時間情報、及び相対時間情報を含むＲＬＦレポートを生成し、当該ＲＬＦレポートをＵＥ  Ｉｎｆｏｒｍａｔｉｏｎ  Ｒｅｓｐｏｎｓｅメッセージに含めてｅＮＢ１００に送信するよう無線通信部２１０を制御する。
【００６４】
（ＵＥ２００の動作）
以下において、本実施形態に係るＵＥ２００の動作を説明する。図４は、本実施形態に係るＵＥ２００の動作フロー図である。図４の初期状態では、ＵＥ２００は接続状態（ＲＲＣ  ｃｏｎｎｅｃｔｅｄ  ｓｔａｔｅ）であるとする。
【００６５】
ステップＳ１０１において、無線通信部２１０は、Ｉｍｍｅｄｉａｔｅ  ＭＤＴに係るＭｅａｓｕｒｅｍｅｎｔ  Ｃｏｎｆｉｇｕｒａｔｉｏｎ情報をサービングセルから受信する。上述したように、本実施形態では、当該Ｍｅａｓｕｒｅｍｅｎｔ  Ｃｏｎｆｉｇｕｒａｔｉｏｎ情報は、ネットワーク時刻を示す絶対時間情報を含む。
【００６６】
ステップＳ１０２において、Ｉｍｍｅｄｉａｔｅ  ＭＤＴ処理部２６１は、当該Ｍｅａｓｕｒｅｍｅｎｔ  Ｃｏｎｆｉｇｕｒａｔｉｏｎ情報に含まれる測定パラメータを記憶部２５０に記憶する。また、Ｉｍｍｅｄｉａｔｅ  ＭＤＴ処理部２６１は、当該Ｍｅａｓｕｒｅｍｅｎｔ  Ｃｏｎｆｉｇｕｒａｔｉｏｎ情報に含まれる絶対時間情報を記憶部２５０に記憶するとともに、相対時間タイマ２６３を起動する。
【００６７】
ステップＳ１０３において、接続障害処理部２６２は、接続障害が発生したか否かを判断する。接続障害処理部２６２が接続障害の発生を検出した場合（ステップＳ１０３；ＹＥＳ）、処理がステップＳ１０４に進む。
【００６８】
ステップＳ１０４において、接続障害処理部２６２は、接続障害を検出すると、第１のＲＬＦ情報を生成し、相対時間タイマ２６３が計時した第１の相対時間を取得し、第１のＲＬＦ情報及び第１の相対時間情報を記憶部２５０に記憶する。また、第１の接続障害が検出された位置を示す第１の位置情報を記憶部２５０に記憶する。
【００６９】
ステップＳ１０５において、接続障害処理部２６２は、接続障害を検出してから所定時間（Ｔ２）内に再接続（ＲＲＣ  ｃｏｎｎｅｃｔｉｏｎ  ｒｅ−ｅｓｔａｂｌｉｓｈｍｅｎｔ）が可能であるか否かを判断する。
【００７０】
接続障害を検出してから所定時間（Ｔ２）内に再接続（ＲＲＣ  ｃｏｎｎｅｃｔｉｏｎ  ｒｅ−ｅｓｔａｂｌｉｓｈｍｅｎｔ）が可能である場合（ステップＳ１０５；ＹＥＳ）、ステップＳ１０６において、接続障害処理部２６２は、再接続（ＲＲＣ  ｃｏｎｎｅｃｔｉｏｎ  ｒｅ−ｅｓｔａｂｌｉｓｈｍｅｎｔ）を行う。また、接続障害処理部２６２は、第１のＲＬＦ情報及び第１の位置情報を記憶部２５０から取得し、第１のＲＬＦ情報及び第１の位置情報を含むＲＬＦレポートを再接続先セルに送信するよう無線通信部２１０を制御する。
【００７１】
一方、接続障害を検出してから所定時間（Ｔ２）内に再接続（ＲＲＣ  ｃｏｎｎｅｃｔｉｏｎ  ｒｅ−ｅｓｔａｂｌｉｓｈｍｅｎｔ）が不能である場合（ステップＳ１０５；ＮＯ）、ステップＳ１０７において、ＵＥ２００はアイドル状態（ＲＲＣ  ｉｄｌｅ  ｓｔａｔｅ）に移行する。また、接続障害処理部２６２は、第２のＲＬＦ情報を生成し、相対時間タイマ２６３から第２の相対時間情報を取得し、第２のＲＬＦ情報及び第２の相対時間情報を記憶部２５０に記憶する。さらに、接続障害処理部２６２は、第２の接続障害が検出された位置を示す第２の位置情報を記憶部２５０に記憶する。
【００７２】
ステップＳ１０８において、接続障害処理部２６２は、Ｅ−ＵＴＲＡＮ１０に含まれるセルとの接続（ｆｒｅｓｈ  ＲＲＣ  ｃｏｎｎｅｃｔｉｏｎ  ｅｓｔａｂｌｉｓｈｍｅｎｔ）が可能であるか否かを判断する。Ｅ−ＵＴＲＡＮ１０に含まれるセルとの接続（ｆｒｅｓｈ  ＲＲＣ  ｃｏｎｎｅｃｔｉｏｎ  ｅｓｔａｂｌｉｓｈｍｅｎｔ）が可能である場合（ステップＳ１０８；ＹＥＳ）、処理がステップＳ１０９に進む。
【００７３】
ステップＳ１０９において、接続障害処理部２６２は、Ｅ−ＵＴＲＡＮ１０に含まれるセルとの接続（ｆｒｅｓｈ  ＲＲＣ  ｃｏｎｎｅｃｔｉｏｎ  ｅｓｔａｂｌｉｓｈｍｅｎｔ）を行い、接続状態に復帰する。また、接続障害処理部２６２は、ＲＬＦレポートを送信可能である旨の通知（Ｉｎｄｉｃａｔｉｏｎ）を接続先セルに送信するよう無線通信部２１０を制御する。
【００７４】
ステップＳ１１０において、接続障害処理部２６２は、接続先セルからのＵＥ  Ｉｎｆｏｒｍａｔｉｏｎ  Ｒｅｑｕｅｓｔメッセージを無線通信部２１０が受信したか否かを判断する。接続先セルからのＵＥ  Ｉｎｆｏｒｍａｔｉｏｎ  Ｒｅｑｕｅｓｔメッセージを無線通信部２１０が受信した場合（ステップＳ１１０；ＹＥＳ）、処理がステップＳ１１１に進む。
【００７５】
ステップＳ１１１において、接続障害処理部２６２は、記憶部２５０に記憶されている第１及び第２のＲＬＦ情報、第１及び第２の位置情報、絶対時間情報、第１及び第２の相対時間情報を取得し、当該第１及び第２のＲＬＦ情報、第１及び第２の位置情報、絶対時間情報、第１及び第２の相対時間情報を含むＲＬＦレポートを生成し、当該ＲＬＦレポートをＵＥ  Ｉｎｆｏｒｍａｔｉｏｎ  Ｒｅｓｐｏｎｓｅメッセージに含めてｅＮＢ１００に送信するよう無線通信部２１０を制御する。
【００７６】
（第１実施形態のまとめ）
以上説明したように、ＵＥ２００は、Ｅ−ＵＴＲＡＮ１０との接続障害の発生を検出し、検出した接続障害に関するＲＬＦレポートをＥ−ＵＴＲＡＮ１０に送信する。ＵＥ２００は、接続障害が発生した時刻を特定するための時間情報をＲＬＦレポートに含めてＥ−ＵＴＲＡＮ１０に送信する。これにより、Ｅ−ＵＴＲＡＮ１０やＯＡＭ３２０は、ＲＬＦレポートがいつ発生した接続障害に関するものであるかを把握できるため、誤ったパラメータ調整を行ってしまうことを防止できる。
【００７７】
本実施形態では、ＵＥ２００は、接続障害の発生によってアイドル状態に移行した後、Ｅ−ＵＴＲＡＮ１０に改めて接続することによって接続状態に復帰する。ＵＥ２００は、接続状態に復帰した後、時間情報をＲＬＦレポートに含めてＥ−ＵＴＲＡＮ１０に送信する。接続障害によって接続状態からアイドル状態に移行した後、Ｅ−ＵＴＲＡＮ１０に改めて接続した際にＲＬＦレポートを送信する場合、接続障害が発生してからＲＬＦレポートを送信するまでに長時間が経過している可能性がある。よって、この場合はＲＬＦレポートに時間情報を含めることで、Ｅ−ＵＴＲＡＮ１０やＯＡＭ３２０が誤ったパラメータ調整を行ってしまうことを防止できる。
【００７８】
本実施形態では、ＵＥ２００は、時間情報と、接続障害が発生した位置を特定するための位置情報とをＲＬＦレポートに含めてＥ−ＵＴＲＡＮ１０に送信する。これにより、Ｅ−ＵＴＲＡＮ１０やＯＡＭ３２０は、受信したＲＬＦレポートがいつ・どこで発生した接続障害に関するものであるかを把握できる。
【００７９】
本実施形態では、Ｅ−ＵＴＲＡＮ１０が接続状態のＵＥ２００に対してＩｍｍｅｄｉａｔｅ  ＭＤＴを設定する際に、ネットワーク時刻を示す絶対時間情報をＥ−ＵＴＲＡＮ１０からＵＥ２００に送信する。これにより、Ｉｍｍｅｄｉａｔｅ  ＭＤＴのコンフィグレーション手順において絶対時間情報をＵＥ２００に送信することができるため、既存のプロシージャを若干変更するのみで絶対時間情報をＵＥ２００が取得できる。
【００８０】
本実施形態では、ＲＬＦレポートに含められる時間情報は、Ｅ−ＵＴＲＡＮ１０から受信した絶対時間情報と、Ｅ−ＵＴＲＡＮ１０時刻に対する接続障害が発生した時刻の相対時間を示す相対時間情報と、を含む。これにより、Ｅ−ＵＴＲＡＮ１０やＯＡＭ３２０は、絶対時間情報と、絶対時間情報を基準とした相対時間情報とから、接続障害が発生した時刻を精度よく特定できる。
【００８１】
［第２実施形態］
以下において、第２実施形態について、第１実施形態との相違点を説明する。
【００８２】
本実施形態では、ｅＮＢ１００の無線通信部２１０は、ネットワーク時刻を示す絶対時間情報をブロードキャストする。詳細には、無線通信部２１０は、絶対時間情報をシステム情報ブロック（ＳＩＢ）に含めてブロードキャストチャネル上で送信する。
【００８３】
（ＵＥ２００の動作）
本実施形態に係るＵＥ２００の動作について、第１実施形態との相違点を説明する。図５は、本実施形態に係るＵＥ２００の動作フロー図である。図５の初期状態では、ＵＥ２００は接続状態（ＲＲＣ  ｃｏｎｎｅｃｔｅｄ  ｓｔａｔｅ）であるとする。
【００８４】
ステップＳ２０１において、無線通信部２１０は、Ｉｍｍｅｄｉａｔｅ  ＭＤＴに係るＭｅａｓｕｒｅｍｅｎｔ  Ｃｏｎｆｉｇｕｒａｔｉｏｎ情報をサービングセルから受信する。本実施形態では、当該Ｍｅａｓｕｒｅｍｅｎｔ  Ｃｏｎｆｉｇｕｒａｔｉｏｎ情報は、絶対時間情報を含まない。Ｉｍｍｅｄｉａｔｅ  ＭＤＴ処理部２６１は、当該Ｍｅａｓｕｒｅｍｅｎｔ  Ｃｏｎｆｉｇｕｒａｔｉｏｎ情報に含まれる測定パラメータを記憶部２５０に記憶する。
【００８５】
ステップＳ２０２において、無線通信部２１０は、ブロードキャストされるＳＩＢを受信する。本実施形態では、ＳＩＢは、絶対時間情報を含む。
【００８６】
ステップＳ２０３において、Ｉｍｍｅｄｉａｔｅ  ＭＤＴ処理部２６１は、ＳＩＢに含まれる絶対時間情報を記憶部２５０に記憶するとともに、相対時間タイマ２６３を起動する。
【００８７】
ステップＳ２０４以降の動作は、第１実施形態に係るステップＳ１０３以降の動作と同様である。
【００８８】
（第２実施形態のまとめ）
以上説明したように、Ｅ−ＵＴＲＡＮ１０は、絶対時間情報をブロードキャストし、ＵＥ２００は、Ｅ−ＵＴＲＡＮ１０からブロードキャストされる絶対時間情報を受信する。このように、ＵＥ２００は、基地局からブロードキャストされる絶対時間情報を受信することで、絶対時間情報を取得できる。
【００８９】
［その他の実施形態］
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【００９０】
第２実施形態では、相対時間タイマの使用を省略してもよい。絶対時間情報がＳＩＢの一部としてブロードキャストされているため、ＵＥは、接続障害が発生（Ｓ２０４）した際に、ブロードキャストされる絶対時間情報を単に取得し、その絶対時間をネットワークに送信する、又は後で送信する必要があれば絶対時間を記憶する。これは、ネットワークで時間が十分保証できる程度に、絶対時間のブロードキャスト周期が短いことを前提としている。この場合、ＲＬＦレポートは、相対時間情報を含まずに、ネットワークからブロードキャストされる絶対時間情報のみに基づく。
【００９１】
本発明は、接続状態のＵＥ２００により記録処理が行われるＭＤＴの形態であるＬｏｇｇｅｄ  ＭＤＴ  ｉｎ  Ｃｏｎｎｅｃｔｅｄにも適用できる。この場合、第１実施形態と同様にして、絶対時間情報は、Ｌｏｇｇｅｄ  ＭＤＴ  ｉｎ  Ｃｏｎｎｅｃｔｅｄのための新たなＬｏｇｇｅｄＭｅａｓｕｒｅｍｅｎｔＣｏｎｆｉｇｕｒａｔｉｏｎメッセージに追加される必要がある。
【００９２】
上述した第２実施形態は、Ｉｍｍｅｄｉａｔｅ  ＭＤＴがコンフィグレーションされるＵＥ２００に限らず、Ｉｍｍｅｄｉａｔｅ  ＭＤＴがコンフィグレーションされないＵＥ２００に対しても適用可能である。
【００９３】
また、上述した各実施形態では、ＬＴＥに基づいて構成される移動通信システムを例に説明したが、ＬＴＥに限らず、ＭＤＴをサポートする他の移動通信システム（例えば、Ｗ−ＣＤＭＡ）に対して本発明を適用してもよい。
【００９４】
このように本発明は、ここでは記載していない様々な実施形態等を包含するということを理解すべきである。
【００９５】
なお、米国仮出願第６１／３８９３９５号（２０１０年１０月４日出願）の全内容が、参照により、本願明細書に組み込まれている。
【産業上の利用可能性】
【００９６】
以上のように、本発明に係る移動通信方法、無線端末、及び基地局によれば、ネットワークが誤ったパラメータ調整を行ってしまうことを防止できるため、移動体通信などの無線通信において有用である。
【図１】
0005546688.tif 000002
【図２】
0005546688.tif 000003
【図３】
0005546688.tif 000004
【図４】
0005546688.tif 000005
【図５】
0005546688.tif 000006